(57)【要約】【課題】セルスタックの体格を大きくすることなく、蓄電セルの冷却効率を向上させることができる蓄電装置を提供する。【解決手段】蓄電装置１は、蓄電セル６が正極集電板１４及び負極集電板１５を介して積層されてなるセルスタック２と、セルスタック２の側方に配置され、正極集電板１４及び負極集電板１５と電気的に接続された正極バスバー３及び負極バスバー４とを備え、正極集電板１４及び負極集電板１５は、正極バスバー３及び負極バスバー４と接合される正極タブ１６及び負極タブ１７を有し、正極集電板１４及び負極集電板１５における正極タブ１６及び負極タブ１７が設けられていない縁部１４ｃ，１４ｄ及び縁部１５ｃ，１５ｄには、蓄電セル６に対して蓄電セル６の積層方向に垂直な方向の外側に突出した突出部１８，２０が設けられており、突出部１８，２０は、積層方向に折れ曲がっている。【選択図】図３
2020035653.tif 000002
【特許請求の範囲】
【請求項１】
複数の電極を含んで構成される蓄電セルが集電板を介して積層されてなるセルスタックと、
前記セルスタックの側方に配置され、前記集電板と電気的に接続されたバスバーとを備え、
前記集電板は、前記バスバーと接合されるタブを有し、
前記蓄電セル及び前記集電板は、前記蓄電セルの積層方向から見て矩形状を呈し、
前記タブは、前記集電板の４つの縁部のうち何れか一つの縁部に設けられており、
前記集電板における前記タブが設けられていない３つの縁部のうち少なくとも１つの縁部には、前記蓄電セルに対して前記蓄電セルの積層方向に垂直な方向の外側に突出した突出部が設けられており、
前記突出部は、前記積層方向に折れ曲がっている蓄電装置。
【請求項２】
前記突出部は、前記集電板の前記３つの縁部のうち前記セルスタック及び前記バスバーの配列方向に垂直な方向に対向する２つの縁部に設けられている請求項１記載の蓄電装置。
【請求項３】
前記突出部は、前記集電板の前記少なくとも１つの縁部の中央部を含む領域に設けられている請求項１または２記載の蓄電装置。
【請求項４】
前記突出部は、前記集電板の前記少なくとも１つの縁部に全体的に設けられている請求項３記載の蓄電装置。
【請求項５】
前記集電板は、前記積層方向に複数配置されており、
前記複数の集電板の前記突出部は、前記積層方向の同じ側に折れ曲がっている請求項１〜４の何れか一項記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている技術が知られている。特許文献１に記載の蓄電装置は、積層体である発電要素を備えている。発電要素は、第一電極と第二電極とが電解質層を介して交互に積層されている。第一電極は、導電性を有する樹脂層を含む第一集電体の一方の面に電気的に結合した正極活物質層が形成され、第一集電体の反対側の面に電気的に結合した負極活物質層が形成されてなる。第二電極は、第一集電体より熱伝導性が高い第二集電体の一方の面に電気的に結合した正極活物質層が形成され、第二集電体の反対側の面に電気的に結合した負極活物質層が形成されてなる。第二集電体の端部は、第一集電体の端部よりも外側に突出している。これにより、第二集電体の伝熱面積が増加している。
【先行技術文献】
【特許文献】
【０００３】
【特許文献１】特開２０１０−２１２０９３号公報
【発明の概要】
【発明が解決しようとする課題】
【０００４】
ところで、複数の蓄電セルが集電板を介して積層されていると共に、バスバーが集電板のタブと接合された蓄電装置がある。そのような蓄電装置では、集電板を蓄電セルに対して突出させることで、集電板における空気との接触面積を増やすと、集電板の放熱性が向上し、蓄電セルの冷却効率を向上させることができる。しかし、この場合には、集電板の外形寸法が大きくなるため、積層体（セルスタック）の体格の増大につながる。
【０００５】
本発明の目的は、セルスタックの体格を大きくすることなく、蓄電セルの冷却効率を向上させることができる蓄電装置を提供することである。
【課題を解決するための手段】
【０００６】
本発明の一態様に係る蓄電装置は、複数の電極を含んで構成される蓄電セルが集電板を介して積層されてなるセルスタックと、セルスタックの側方に配置され、集電板と電気的に接続されたバスバーとを備え、集電板は、バスバーと接合されるタブを有し、蓄電セル及び集電板は、蓄電セルの積層方向から見て矩形状を呈し、タブは、集電板の４つの縁部のうち何れか一つの縁部に設けられており、集電板におけるタブが設けられていない３つの縁部のうち少なくとも１つの縁部には、蓄電セルに対して蓄電セルの積層方向に垂直な方向の外側に突出した突出部が設けられており、突出部は、積層方向に折れ曲がっている。
【０００７】
このような蓄電装置においては、集電板におけるタブが設けられていない３つの縁部のうち少なくとも１つの縁部に、蓄電セルに対して積層方向に垂直な方向の外側に突出した突出部が設けられているので、空気が突出部に接することで、蓄電セルで発生した熱が集電板から放熱され、蓄電セルが冷却される。このとき、突出部は積層方向に折れ曲がっているため、集電板の外形寸法を積層方向に垂直な方向に必要以上に大きくしなくても、突出部における空気との接触面積が確保される。従って、集電板の放熱性を向上させることができる。これにより、セルスタックの体格を大きくすることなく、蓄電セルの冷却効率を向上させることができる。
【０００８】
突出部は、集電板の３つの縁部のうちセルスタック及びバスバーの配列方向に垂直な方向に対向する２つの縁部に設けられていてもよい。このような構成では、蓄電セルで発生した熱が集電板の両側から放熱されるため、蓄電セルの冷却効率を更に向上させることができる。
【０００９】
突出部は、集電板の少なくとも１つの縁部の中央部を含む領域に設けられていてもよい。蓄電セルの中心側は、蓄電セルの縁側よりも熱くなりやすくなる。従って、集電板の少なくとも１つの縁部の中央部を含む領域に突出部を設けることにより、蓄電セルで発生した熱が集電板から放熱されやすくなる。これにより、蓄電セルの冷却効率を更に向上させることができる。
【００１０】
突出部は、集電板の少なくとも１つの縁部に全体的に設けられていてもよい。このような構成では、蓄電セルで発生した熱が集電板の少なくとも１つの縁部の全体から放熱されるため、蓄電セルの冷却効率を一層向上させることができる。
【００１１】
集電板は、積層方向に複数配置されており、複数の集電板の突出部は、積層方向の同じ側に折れ曲がっていてもよい。このような構成では、積層方向に隣り合う集電板の極性が異なる場合に、集電板同士の短絡を防止しやすくなる。
【発明の効果】
【００１２】
本発明によれば、セルスタックの体格を大きくすることなく、蓄電セルの冷却効率を向上させることができる。
【図面の簡単な説明】
【００１３】
【図１】本発明の一実施形態に係る蓄電装置を示す平面図である。
【図２】図１のII−II線断面図である。
【図３】図１のIII−III線断面図である。
【図４】図２及び図３に示された蓄電セルの断面図である。
【図５】図２及び図３に示されたセルスタックの部分拡大断面図である。
【図６】比較例としてのセルスタックを示す部分拡大断面図であり、図５に対応する図である。
【発明を実施するための形態】
【００１４】
以下、本発明の実施形態について、図面を参照して詳細に説明する。なお、図面において、同一または同等の要素には同じ符号を付し、重複する説明を省略する。
【００１５】
図１は、本発明の一実施形態に係る蓄電装置を示す平面図である。図２は、図１のII−II線断面図である。図３は、図１のIII−III線断面図である。図１〜図３において、本実施形態の蓄電装置１は、例えばフォークリフト、ハイブリッド自動車または電気自動車等の各種車両のバッテリとして用いられる。
【００１６】
蓄電装置１は、セルスタック２と、正極バスバー３と、負極バスバー４と、拘束部材５とを備えている。正極バスバー３及び負極バスバー４は、セルスタック２の側方に配置されている。
【００１７】
セルスタック２は、複数の蓄電セル６を上下方向に積層することにより構成されている。蓄電セル６は、扁平な直方体形状をなす単電池である。つまり、蓄電セル６は、蓄電セル６の積層方向から見て矩形状を呈している。ここでいう矩形状とは、完全な矩形状だけでなく、略矩形状も含んでいる。なお、以下の説明では、蓄電セル６の長手方向をＸ方向とし、蓄電セル６の短手方向をＹ方向とし、蓄電セル６の積層方向をＺ方向とする。Ｙ方向は、Ｘ方向に垂直な方向である。Ｚ方向は、Ｘ方向及びＹ方向に垂直な方向である。
【００１８】
蓄電セル６は、例えばリチウムイオン二次電池またはニッケル水素二次電池等の二次電池であってもよく、電気二重層キャパシタであってもよい。また、蓄電セル６は、全固体電池であってもよい。本実施形態では、蓄電セル６がバイポーラ型のリチウムイオン二次電池である場合について例示する。
【００１９】
蓄電セル６は、電極積層体７と、保持部材８とを有している。電極積層体７は、図４に示されるように、複数のバイポーラ電極９がセパレータ１０を介して積層されてなる構造を有している。バイポーラ電極９は、集電体１１と、この集電体１１の一方面に形成された正極層１２と、集電体１１の他方面に形成された負極層１３とを有している。
【００２０】
集電体１１は、矩形状を呈するシート状の導電部材である。集電体１１は、例えば純金属箔または合金箔である。純金属箔としては、例えば銅箔、アルミニウム箔、チタン箔またはニッケル箔が挙げられる。集電体１１が純金属箔である場合、機械的強度を確保する観点からアルミニウム箔を用いることが好適である。合金箔としては、例えばステンレス鋼箔または上記純金属の合金箔が挙げられる。集電体１１が合金箔またはアルミニウム箔以外の純金属箔である場合、集電体１１の表面にアルミニウムが被覆されていてもよい。
【００２１】
正極層１２は、正極活物質と電解質とを含んでいる。正極活物質は、例えば複合酸化物、金属リチウムまたは硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質またはゲル状電解質である。固体電解質は、ジルコニアまたはβアルミナを含む。固体高分子電解質は、例えばポリエチレンオキシド（ＰＥＯ）、ポリプロピレンオキシド（ＰＰＯ）等のアルキレンオキシド系高分子化合物、若しくはこれらの共重合体を含む。ゲル状電解質は、流動性を完全に若しくはほぼ完全に示さない電解質である。例えば２０℃におけるゲル状電解質の粘度は、０．１Ｐａ・Ｓ以上である。
【００２２】
正極層１２は、固体高分子電解質を含む場合、例えばイオン伝導性を高めるための支持塩、電子伝導性を高めるための導電助剤、粘度調整溶媒及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、若しくはこれらの混合物である。導電助剤は、例えばアセチレンブラック、カーボンブラックまたはグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２３】
負極層１３は、負極活物質と電解質とを含んでいる。負極活物質は、例えば黒鉛、高配向性グラファイト、メソカーボンマイクロビーズ、ハードカーボンまたはソフトカーボン等のカーボン、リチウム、ナトリウム等のアルカリ金属、金属化合物、リチウムと合金化可能な元素であるシリコン、スズまたはその化合物、或いはホウ素添加炭素等である。負極層１３の電解質は、例えば正極層１２の電解質と同様である。
【００２４】
セパレータ１０は、隣り合うバイポーラ電極９同士を隔てる層状部材であり、矩形状を呈している。セパレータ１０は、正極層１２及び負極層１３に含まれる電解質によって構成されている。また、セパレータ１０は、電解質を充填可能な多孔質膜であってもよい。また、セパレータ１０は、固体電解質によって構成される場合、矩形板状を呈していてもよい。
【００２５】
電極積層体７の積層方向の両端には、集電体１１がそれぞれ配置されている。電極積層体７の一端に位置する集電体１１には、正極層１２のみが形成されている。電極積層体７の他端に位置する集電体１１には、負極層１３のみが形成されている。
【００２６】
保持部材８は、電極積層体７を保持する部材である。保持部材８は、電極積層体７の側面を囲むように矩形枠状を呈している。保持部材８は、例えば絶縁性及び耐熱性を有する樹脂により形成されている。保持部材８を形成する樹脂としては、例えばポリイミド、ポリプロピレン（ＰＰ）、ポリフェニレンサルファイド（ＰＰＳ）、ナイロン６６（ＰＡ６６）等が挙げられる。保持部材８は、バイポーラ電極９を封止し、バイポーラ電極９同士の短絡を防止する機能を合わせ持っている。
【００２７】
蓄電セル６同士は、正極集電板１４及び負極集電板１５を介して積層されている。正極集電板１４及び負極集電板１５は、蓄電セル６を積層方向に挟むように蓄電セル６を介して交互に配置されている。セルスタック２の積層方向の両端には、負極集電板１５が配置されている。正極集電板１４及び負極集電板１５は、例えば集電体１１と同じ金属材料で形成されている。正極集電板１４は、蓄電セル６における正極層１２のみが形成された集電体１１に接触している。負極集電板１５は、蓄電セル６における負極層１３のみが形成された集電体１１に接触している。
【００２８】
正極集電板１４及び負極集電板１５は、蓄電セル６の積層方向（Ｚ方向）から見て矩形状を呈している。ここでいう矩形状とは、完全な矩形状だけでなく、略矩形状も含んでいる。正極集電板１４は、４つの縁部１４ａ〜１４ｄを有している。縁部１４ａ，１４ｂは、蓄電セル６の長手方向（Ｘ方向）に対向している。縁部１４ｃ，１４ｄは、蓄電セル６の短手方向（Ｙ方向）に対向している。負極集電板１５は、４つの縁部１５ａ〜１５ｄを有している。縁部１５ａ，１５ｂは、蓄電セル６の長手方向（Ｘ方向）に対向している。縁部１５ｃ，１５ｄは、蓄電セル６の短手方向（Ｙ方向）に対向している。
【００２９】
正極集電板１４の縁部１４ａには、正極バスバー３と接合される正極タブ１６が設けられている。正極タブ１６は、正極集電板１４の縁部１４ａにおいて蓄電セル６に対してＸ方向の外側に突出している。正極タブ１６は、正極集電板１４の縁部１４ａのＹ方向の中央部に設けられている。
【００３０】
負極集電板１５の縁部１５ｂには、負極バスバー４と接合される負極タブ１７が設けられている。負極タブ１７は、負極集電板１５の縁部１５ｂにおいて蓄電セル６に対してＸ方向の外側に突出している。つまり、負極タブ１７は、負極集電板１５における正極タブ１６の反対側に設けられている。負極タブ１７は、負極集電板１５の縁部１５ｂのＹ方向の中央部に設けられている。
【００３１】
正極集電板１４の縁部１４ｃ，１４ｄには、蓄電セル６に対してＹ方向の外側に突出した突出部１８がそれぞれ設けられている。つまり、突出部１８は、正極集電板１４における正極タブ１６が設けられていない３つの縁部１４ｂ〜１４ｄのうちセルスタック２及び正極バスバー３の配列方向に垂直な方向に対向する２つの縁部１４ｃ，１４ｄに設けられている。突出部１８は、正極集電板１４の縁部１４ｃ，１４ｄにおけるＸ方向の中央部を含む領域に設けられている。具体的には、突出部１８は、正極集電板１４の縁部１４ｃ，１４ｄに全体的に設けられている。
【００３２】
各正極集電板１４の突出部１８は、図５にも示されるように、Ｚ方向にＬ字状に折れ曲がっている。具体的には、突出部１８は、Ｚ方向の上側に垂直に屈曲した屈曲部分１８ａを有している。つまり、各突出部１８は、Ｚ方向の同じ側に折れ曲がっている。蓄電セル６と突出部１８の屈曲部分１８ａとの間には、クリアランスＣが設けられている。
【００３３】
最上層の負極集電板１５の縁部１５ｃ，１５ｄには、蓄電セル６に対してＹ方向の外側に突出した突出部１９がそれぞれ設けられている。最上層以外の負極集電板１５の縁部１５ｃ，１５ｄには、蓄電セル６に対してＹ方向の外側に突出した突出部２０がそれぞれ設けられている。つまり、突出部１９，２０は、負極集電板１５における負極タブ１７が設けられていない３つの縁部１５ａ，１５ｃ，１５ｄのうちセルスタック２及び負極バスバー４の配列方向に垂直な方向に対向する２つの縁部１５ｃ，１５ｄに設けられている。突出部１９，２０は、負極集電板１５の縁部１５ｃ，１５ｄにおけるＸ方向の中央部を含む領域に設けられている。具体的には、突出部１９，２０は、負極集電板１５の縁部１５ｃ，１５ｄに全体的に設けられている。
【００３４】
最上層の負極集電板１５の突出部１９は、平坦状を呈している。最上層以外の各負極集電板１５の突出部２０は、図５にも示されるように、Ｚ方向にＬ字状に折れ曲がっている。具体的には、突出部２０は、Ｚ方向の上側に垂直に屈曲した屈曲部分２０ａを有している。つまり、各突出部２０は、Ｚ方向の同じ側に折れ曲がっている。蓄電セル６と突出部２０の屈曲部分２０ａとの間にも、クリアランスＣが設けられている。
【００３５】
蓄電セル６に対する突出部１８〜２０の突出長は、全て等しい。蓄電セル６に対する突出部１８〜２０の突出長は、蓄電セル６に対する正極タブ１６及び負極タブ１７の突出長よりも短い。
【００３６】
正極バスバー３は、セルスタック２のＸ方向の一方側に配置されている。正極バスバー３は、Ｚ方向に延在し、各正極集電板１４と電気的に接続されている。正極バスバー３は、各正極集電板１４の正極タブ１６に溶接により接合されている。
【００３７】
負極バスバー４は、セルスタック２のＸ方向の他方側（正極バスバー３の反対側）に配置されている。負極バスバー４は、Ｚ方向に延在し、各負極集電板１５と電気的に接続されている。負極バスバー４は、各負極集電板１５の負極タブ１７に溶接により接合されている。
【００３８】
正極バスバー３及び負極バスバー４は、Ｘ方向から見た側面視で矩形板状を呈している。正極バスバー３及び負極バスバー４の形成材料は、例えば銅、アルミニウム、チタンまたはニッケル等の純金属であってもよく、ステンレス鋼または上記純金属の合金等であってもよい。
【００３９】
拘束部材５は、セルスタック２の各蓄電セル６がばらけないように、セルスタック２をＹ方向及びＺ方向に拘束する。拘束部材５は、セルスタック２のＸ方向の中央部を締め付ける１つの拘束バンドである。なお、拘束部材５の数としては、２つ以上であってもよい。
【００４０】
以上のような蓄電装置１においては、蓄電セル６から熱が発生する。蓄電セル６で発生した熱は、正極集電板１４及び負極集電板１５に伝わる。ここで、各正極集電板１４には、蓄電セル６に対してＹ方向の外側に突出した突出部１８が設けられ、最上層の負極集電板１５には、蓄電セル６に対してＹ方向の外側に突出した突出部１９が設けられ、最上層以外の各負極集電板１５には、蓄電セル６に対してＹ方向の外側に突出した突出部２０が設けられている。従って、蓄電装置１の外部を流れる空気（例えば冷気）が突出部１８〜２０に接することで、正極集電板１４及び負極集電板１５と空気とが熱交換されるため、蓄電セル６で発生した熱が正極集電板１４及び負極集電板１５を介して放熱される。これにより、蓄電セル６が正極集電板１４及び負極集電板１５を介して冷却される。
【００４１】
図６は、比較例としてのセルスタックを示す部分拡大断面図であり、図５に対応する図である。図６において、正極集電板１４には、蓄電セル６に対してＹ方向の外側に突出した突出部１０１が設けられ、負極集電板１５には、蓄電セル６に対してＹ方向の外側に突出した突出部１０２が設けられている。突出部１０１，１０２は、何れも平坦状を呈している。
【００４２】
ここで、蓄電セル６に対する突出部１０１，１０２の突出長が短いと、突出部１０１，１０２における空気との接触面積が小さくなるため、蓄電セル６の冷却効率が低下する。一方、蓄電セル６に対する突出部１０１，１０２の突出長が長すぎると、セルスタック２の外形寸法がＹ方向に大きくなり、セルスタック２の大型化につながる。また、突出部１０１，１０２が平坦状を呈しているため、蓄電セル６と正極集電板１４及び負極集電板１５とを積層する際に、蓄電セル６に対する正極集電板１４及び負極集電板１５のＹ方向の位置ずれが発生しやすくなる。
【００４３】
そのような課題に対し、本実施形態では、正極集電板１４における正極タブ１６が設けられていない縁部１４ｃ，１４ｄに設けられた突出部１８、及び負極集電板１５における負極タブ１７が設けられていない縁部１５ｃ，１５ｄに設けられた突出部２０は、積層方向（Ｚ方向）に折れ曲がっている。このため、正極集電板１４及び負極集電板１５の外形寸法をＹ方向に必要以上に大きくしなくても、突出部１８，２０における空気との接触面積が確保される。従って、正極集電板１４及び負極集電板１５の放熱性を向上させることができる。これにより、セルスタック２の体格を大きくすることなく、蓄電セル６の冷却効率を向上させることができる。
【００４４】
また、蓄電セル６と正極集電板１４及び負極集電板１５とを積層する際に、突出部１８，２０によって正極集電板１４及び負極集電板１５を蓄電セル６に対して位置決めしやすくなり、蓄電セル６に対する正極集電板１４及び負極集電板１５のＹ方向の位置ずれを抑えることができる。
【００４５】
また、本実施形態では、蓄電セル６で発生した熱が正極集電板１４及び負極集電板１５の両側から放熱されるため、蓄電セル６の冷却効率を更に向上させることができる。
【００４６】
また、本実施形態では、突出部１８は、正極集電板１４の縁部１４ｃ，１４ｄの中央部を含む領域に設けられ、突出部２０は、負極集電板１５の縁部１５ｃ，１５ｄの中央部を含む領域に設けられているので、蓄電セル６で発生した熱が正極集電板１４及び負極集電板１５から放熱されやすくなる。これにより、蓄電セル６の冷却効率をより向上させることができる。
【００４７】
また、本実施形態では、突出部１８は、正極集電板１４の縁部１４ｃ，１４ｄに全体的に設けられ、突出部２０は、負極集電板１５の縁部１５ｃ，１５ｄに全体的に設けられている。従って、蓄電セル６で発生した熱が正極集電板１４の縁部１４ｃ，１４ｄの全体及び負極集電板１５の縁部１５ｃ，１５ｄの全体から放熱されるため、蓄電セル６の冷却効率を一層向上させることができる。
【００４８】
また、本実施形態では、複数の正極集電板１４の突出部１８及び複数の負極集電板１５の突出部２０は、積層方向の同じ側に折れ曲がっているので、正極集電板１４と負極集電板１５との短絡を防止しやすくなる。
【００４９】
なお、本発明は、上記実施形態には限定されない。例えば上記実施形態では、正極集電板１４の突出部１８及び負極集電板１５の突出部２０は、積層方向の上側に折れ曲がっているが、特にその形態には限られず、突出部１８，２０が積層方向の下側に折れ曲がっていてもよい。また、正極集電板１４と負極集電板１５とが短絡しないのであれば、突出部１８，２０の一方が積層方向の上側に折れ曲がり、突出部１８，２０の他方が積層方向の下側に折れ曲がっていてもよい。
【００５０】
また、上記実施形態では、突出部１８は正極集電板１４の縁部１４ｃ，１４ｄに全体的に設けられ、突出部２０は負極集電板１５の縁部１５ｃ，１５ｄに全体的に設けられているが、特にその形態には限られず、突出部１８が正極集電板１４の縁部１４ｃ，１４ｄの一部に設けられ、突出部２０が負極集電板１５の縁部１５ｃ，１５ｄの一部に設けられていてもよい。この場合には、突出部１８が正極集電板１４の縁部１４ｃ，１４ｄの中央部に設けられ、突出部２０が負極集電板１５の縁部１５ｃ，１５ｄの中央部に設けられているのが好ましい。
【００５１】
また、上記実施形態では、正極集電板１４の縁部１４ｃ，１４ｄに突出部１８が設けられ、負極集電板１５の縁部１５ｃ，１５ｄに突出部２０が設けられているが、特にその形態には限られず、正極集電板１４の縁部１４ｃ，１４ｄの何れか一方のみに突出部１８が設けられ、負極集電板１５の縁部１５ｃ，１５ｄの何れか一方のみに突出部２０が設けられていてもよい。
【００５２】
また、上記実施形態では、正極集電板１４の正極タブ１６は、正極集電板１４の縁部１４ａの中央部に設けられ、負極集電板１５の負極タブ１７は、負極集電板１５の縁部１５ｂの中央部に設けられているが、特にその形態には限られず、正極タブ１６は、正極集電板１４の縁部１４ａの中央部からずれて設けられ、負極タブ１７は、負極集電板１５の縁部１５ｂの中央部からずれて設けられていてもよい。
【００５３】
また、正極タブ１６及び負極タブ１７は、正極集電板１４及び負極集電板１５のＸ方向の一方側（同じ側）の縁部にそれぞれ並んで配置されていてもよい。この場合には、正極バスバー３及び負極バスバー４も、セルスタック２に対してＸ方向の一方側に配置されることとなる。このとき、正極集電板１４のＸ方向の他方側（正極タブ１６の反対側）の縁部に突出部１８が設けられ、負極集電板１５のＸ方向の他方側（負極タブ１７の反対側）の縁部に突出部２０が設けられていてもよい。
【符号の説明】
【００５４】
１…蓄電装置、２…セルスタック、３…正極バスバー（バスバー）、４…負極バスバー（バスバー）、６…蓄電セル、９…バイポーラ電極（電極）、１４…正極集電板（集電板）、１４ａ〜１４ｄ…縁部、１５…負極集電板（集電板）、１５ａ〜１５ｄ…縁部、１６…正極タブ（タブ）、１７…負極タブ（タブ）、１８…突出部、２０…突出部。
【図１】
2020035653.tif 000003
【図２】
2020035653.tif 000004
【図３】
2020035653.tif 000005
【図４】
2020035653.tif 000006
【図５】
2020035653.tif 000007
【図６】
2020035653.tif 000008